(57)【特許請求の範囲】
【請求項１】
二枚のヒンジ板の一方に舌片を回動可能に軸支し、該舌片を他方のヒンジ板に設けた挿入部に差し込んで固定することによって、前記二枚のヒンジ板を結合してなる、出入り口開口とドアとの間の上下左右の隙間の調整を可能にした蝶番において、前記他方のヒンジ板に挿入部内に一部が達する大きさの円形の回動板用の穴を設け、該穴に回動板を嵌挿し、該回動板を円板の一部を周面に沿って切り欠いて挿入部側の切欠き部のほぼ中央部に爪部を設けた形状とし、且つ、舌片の回動板側の先端側面部の一部を切り欠いて段部を形成し、該切欠き段部に舌片を挿入部に挿入した時に該回動板の爪部に係合する係合爪と爪部の当接面を設け舌片の動きを規制するようにしたことを特徴とする蝶番。
【請求項２】
回転板の挿入部側と反対側の周面に周面に沿った切欠き部を設け、該切欠き部内に突出するストッパ部を回動板用の穴に設けて回転板の回転量と舌片の挿入を規制するようにしたことを特徴とする請求項１記載の蝶番。
【発明の詳細な説明】
【０００１】
【発明の属する技術分野】
本発明は出入り口開口部に取りつけられたドアにおいて、開口部とドアとの間の上下の隙間、左右の隙間の調整、およびドアの厚さ方向の位置調整を可能にした蝶番に関する。
【０００２】
【従来の技術】
二枚のヒンジ板の一方に回動可能に軸支した舌片を他方のヒンジ板の挿入部に挿入固定してなる舌片を用いた従来の蝶番の代表例として、特開平３−３９５８１号公報に開示されているものを図７に示し、これにより舌片を用いた蝶番の概略を説明する。この従来の蝶番の分解組立斜視図を示す図７において、蝶番１は一方のヒンジ板６と他方のヒンジ板７およびこのヒンジ板７に設けられた挿入部８に挿入する舌片９とで大略形成されている。ヒンジ板６には間隔をおいて二個の巻回部10、11が一体に形成されており、その間にこれら巻回部10、11とは別個に製作されたＣリング12が装着できるようにしてある。ヒンジ板６の平面部には柱等に取りつけるための孔13が複数個明けられている。
【０００３】
舌片９の先端部は前述のようにヒンジ板７の挿入部８に挿入されるが、これと反対側の軸支されている端部には切欠16により舌片９の幅を狭くしてＣリング12の内径よりも小さな外径で円筒状に巻回された巻回部14が形成され、この巻回部14の長さは図８に現れているように、巻回部10、11の間の隙間よりも所定長さ短い長さになっている。また、この巻回部14の内面には螺子29が切られている。舌片９の板厚寸法はＣリング12の開口部寸法15より僅かに薄く形成されていることにより、巻回部14をＣリング12内に装着したとき、舌片９はＣリング12に対し回動が拘束され、かつ、軸方向への移動が可能になっている。符号17、18で示すものは蝶番の軸の役割をするボルトである。
【０００４】
図８に示すように、舌片９の巻回部14をＣリング12内に装着し、その状態でこのＣリング12をヒンジ板６の巻回部10、11の間に位置させ、ボルト17、18を上下から巻回部10、11内に挿入して、螺子部27、28を巻回部14の内面に形成された螺子29に螺合させ、舌片９をヒンジ板６に取り付けている。そして、ボルト17、18のねじ込み量を調節することにより、巻回部10と11の間の任意の位置に舌片９を位置決め保持することにより、図10に示すドア２と出入り口開口３との間の上部隙間Ｔ1 と底部隙間Ｂ1 を調節できるようにしている。
【０００５】
次に、図８に示すように舌片９をヒンジ板７の挿入部８に挿入して固定することにより、柱または壁面側に取りつけられたヒンジ板６とドア側に取りつけられたヒンジ板７とを結合する。両者の結合は、図９に示すように舌片９の裏面側からボルト22のねじ込み量を調整して、舌片９を挿入部８の隙間内で舌片の厚さ方向に移動させることにより、図10に示すドア２の上部左右の隙間Ｌ1 、Ｒ1 と下部隙間Ｌ2 、Ｒ2 を調節し、ドア２が出入り口開口３に対して傾きがないように調整した後に、図９に示すボルト20により舌片９を挿入部８の隙間内に固定するようにしている。
【０００６】
このように、舌片を使用して出入り口開口とドアとの間の上下左右の隙間を調整するようにした上記以外の従来例として、特開平３−137380号公報、特開平３−137381号公報、特開平５−321526号公報、実開平６−1667号公報および実開平６−8654号公報に開示されており、また舌片を使用して出入り口開口とドアとの間の左右のみの隙間を調整するものとして、特開平６−8579号公報に開示されている。
【０００７】
【発明が解決しょうとする課題】
上記従来の蝶番は、出入り口開口部とドアとの間の上下の隙間および上下左右の隙間の調整ができるので、出入り口開口部に対するドアの正面が正規の位置に取りつけることができるのであるが、これら上記従来例はいづれも、ドアの厚み方向への調整ができないので次のような改良すべき問題がある。
【０００８】
図６に示すように、出入り口開口３にはヒンジ板６を取りつけるための取り付け凹穴４が掘られる。そして、ドア２の厚さ方向（矢印Ａ方向）の位置は、出入り口開口３に掘られる凹穴４の位置によって決められる。そこで例えばヒンジ板６の幅Ｗに対して、凹穴４の幅がＬだけ広く掘られた場合に、出入り口開口３の面 301とドア２の面 201に寸法Ｌだけ段差ができることになって見栄えが悪くなり、また出入り口開口３とドア２との間の隙間を隠すために、例えば部材５が予め出入り口開口３に取りつけられているような場合には、ドア２の縁がこの部材５に当接してドア２が閉まらなくなる場合がある。
【０００９】
このような事態が発生した場合には、このドア２の取り付けを直さなければならない。そこで、ヒンジ板６を凹穴４から寸法Ｌだけ引き出した状態で出入り口開口３に取りつけなければならないので、出入り口開口３の表面に寸法Ｌの凹穴が現れて見栄えを損なうと共に、ヒンジ板６に設けられた孔13（図７）に螺子を通してヒンジ板６を出入り口開口３に取りつけるので、寸法Ｌが少ない時には出入り口開口３に明けられた螺子孔に近接または干渉した状態で新たな螺子孔をあけることができず、実質的にドア２の幅方向の取り付けを修正することができないという問題がある。
【００１０】
本発明は上記問題に鑑みてなされたものであり、出入り口開口部とドアとの間の上下隙間および上下左右の隙間の調整ができると共に、更にドアの厚さ方向への調整をも可能にした蝶番を提供するものである。
【００１１】
【課題を解決するための手段】
上記課題を解決するための、請求項１の記載から把握される本発明にかかる手段は、二枚のヒンジ板の一方に舌片を回動可能に軸支し、該舌片を他方のヒンジ板に設けた挿入部に差し込んで固定することによって、前記二枚のヒンジ板を結合してなる、出入り口開口とドアとの間の上下左右の隙間の調整を可能にした蝶番において、前記他方のヒンジ板の挿入部側面に、爪部を形成した回動板を設け、舌片を挿入部に挿入した時に該回動板の爪部に係合する係合爪を舌片の側面に設けたことを特徴とする。
【００１２】
請求項２の記載から把握される本発明にかかる手段は、上記請求項１の記載から把握される発明において、他方のヒンジ板の挿入部に舌片を挿入して回動板を回動し、回動板の爪部を舌片に設けた係合爪に当接させて、舌片の挿入を規制し、舌片の挿入量を一定にすることを特徴とする。
【００１３】
【発明の実施の形態】
請求項１の記載から把握される本発明の実施の形態は次の通りである。図８に示すように、二枚のヒンジ板６および７のうち、一方のヒンジ板６に舌片９を回動可能に軸支し、この舌片９を他方のヒンジ板７の挿入部８に差し込んで、図９に示すように、舌片９をボルト20および22で固定することによって、二枚のヒンジ板６および７を結合し、出入り口開口とドアとの間の上下左右の隙間の調整を可能にする。そして更に、図１に示すように他方のヒンジ板７の挿入部８の側面に、爪部 321、 322を形成した回動可能な回動板32を設け、舌片９を挿入部８に挿入した時に、この回動板32の爪部 321、 322に係合する係合爪 901、 902を舌片９の側面に設ける。
【００１４】
次に、請求項２の記載から把握される本発明の実施の形態は次の通りである。上記請求項１の記載から把握される発明において、他方のヒンジ板７の挿入部８に舌片９を挿入し、図３（イ）に示すように回動板32を矢印の方向に回動し、（ロ）に示すように、爪部 321を舌片９に設けた係合爪 902に当接させて、舌片９の挿入を規制し、舌片９の挿入量Ｘ1 を一定にする。
【００１５】
【実施例】
次に、本発明の一実施例について説明する。図４において、舌片９が挿入される側のヒンジ板７は挿入部８を形成する部分が左右対称になるように、突出部30が形成されている。また螺子孔（螺子貫通孔）26も挿入部８を挟んで対象にあけられており、例えばドアが内開きから外開きになったような場合でも、このヒンジ板７の天地を逆にして、ドアに掘られたヒンジ板７の取り付け孔および螺子孔にそのまま取りつけることができるようになっている。
【００１６】
また、このヒンジ板７の挿入部８の裏面には図９に示すボルト20と調整螺子22が螺合する螺子孔21と23（図７参照）があけられており、また図４に示すように挿入部８の表面には図９に示すボルト20の頭部がある程度締め込まれる大きさの孔2101および調整螺子22を挿入部８の表側からドライバなどの工具を用いて螺子孔23に螺合して、舌片９の裏面側にボルト22の段部を圧接するための孔2301があけられている。
【００１７】
図１において、ヒンジ板７には回動板32が挿入される円形の穴33があけられており、この穴33の内側に突出するようにストッパ部 701が設けられている。一方回動板32は円盤の周縁部を所定の形状に切り欠いた形状のもので、穴33の内周面に摺接する摺接部 325が設けられていると共に、爪部 321および 322が設けられており、この摺接部 325が穴33の内周面に摺接して、回動板32が回動するようになっている。そして、このように穴33に挿入された回動板32が回動することにより、爪部 321および 322が挿入部８の側面に露出するように穴33の一部が挿入部８の側面に開口している。
【００１８】
また、回動板32に設けられた摺接部 325には、穴33の内側に突出して設けられたストッパ部 701に当接するストッパ面 324および 326が形成されている。そして、穴33に回動板32を挿入する時に、ストッパ部 701がストッパ面 324と 326の間に位置するように挿入する。これにより、回動板32の自由回転を規制して、爪部 321および 322が挿入部８の側面に露出するように、穴33に回動板32を挿入するようにしている。また、回動板32の中心には六角孔 327が貫通するように設けられていて、図４に示すようにこの六角孔 327が他方のヒンジ板７の表面に現れるようになっており、ヒンジ板７がドア側に取りつけられた状態で、この六角孔 327に工具を挿入して、回動板32を外部から回動できるようになっている。
【００１９】
図１に示すように、舌片９の側面には係合爪 901と 902が設けられている。この係合爪 901および 902と、回動板32に設けられた爪部 321および 322との関係について説明すると、図３（イ）に示すようにストッパ部 701（図１）とストッパ面 324とが当接している状態において、爪部 321は挿入部８の側面から出ないようになっており、舌片９を挿入部８に挿入する時に、係合爪 901が爪部 321に干渉しないように挿入されて、係合爪 901が爪部 322に係合するようになっている。そして、舌片９が挿入部８内に更に挿入されると、係合爪 901によって爪部 322が押されて、回動板32を回動し、図３（ロ）に示すように係合爪 902と爪部 321とが当接し、舌片９の挿入が規制されるようになっている。
【００２０】
そして、このように係合爪 902と爪部 321とが当接し、舌片９の挿入が規制された時の舌片９の挿入位置が、蝶番１における舌片９の標準差し込み位置になるようになっている。また、係合爪 902と爪部 321との間の当接の解除は、舌片９を挿入部８から少し引き抜いた状態で、六角孔 327に工具を挿入して、回動板32を回動することにより行われる。そして、図３（ハ）に示すように回動板32を矢印の方向に回動することにより、爪部 321または 322と係合爪 901とが係合し、舌片９を矢印の方向に移動させることができるようになっている。また、この舌片９の移動を可能にするために、図９に示したボルト20および22が挿入される孔 903は長孔になっている。
【００２１】
調整螺子22の図９における左方頂部に角穴を形成しておき、これに図示しない工具を装着することによってヒンジ板７の表側から調整螺子22を回転できるようになっている。これにより、ヒンジ板７をドア２に取り付けた状態で調整螺子22を回転させることができ調整螺子22の先端の段部で舌片９を受け、舌片９の位置を図９における右方から規制するようになっている。そして、ボルト20と調整螺子22の螺合度によって、挿入部８に対する舌片９の厚み方向の位置調整ができるようになっている。
【００２２】
図２はヒンジ板６と７を舌片９にて連結した状態を示している。舌片９には図７にも示しているように、巻回部14が設けられている。この巻回部14はヒンジ板６側に回動可能に取りつけるための取付部であり、ヒンジ板６に設けた巻回部10および11の間に隙間Ｃ1 およびＣ2 ができる幅になっており、ヒンジ板６に対して舌片９を上下移動できるようにしている。そして、図10に示す出入り口開口３とドア２との間の上下の隙間Ｔ1 およびＢ1 の調整が可能なようになっている。
【００２３】
また、この巻回部14の内面に雌螺子29（図７）を設け、蝶番１のヒンジ軸となるボルト17、18の螺子部27、28を巻回部14の内面に設けられた雌螺子29に螺合し、ボルト17および18の螺子が切られていない軸部は略同一内径を有する巻回部10、11とＣリング12にまたがった状態で挿入され、かつ、舌片９はＣリング12に対して回動方向に拘束するようにして、ドア２の重量はボルト17および18の上記軸部で受けるようにし、螺子部27および28に荷重がかからないようにしている。このように、ボルト17および18の軸部でドア２の荷重を受け、螺子部27および28で荷重を受けないようにすることにより、ドア２を出入り口開口３に取りつけた状態で、ボルト17および18の回転を容易にし、出入り口開口３とドア２との間の上下方向の隙間Ｔ1 およびＢ1 を調整するようにする。
【００２４】
このように構成した本実施例の作用について次に説明する。図５に示すように、ヒンジ板６は出入り口開口３側に、またヒンジ板７はドア２側に取りつけられる。まず、図10におけるドア２の上下の隙間Ｔ1 とＢ1 の調整について説明すると、図２（ヒンジ板６は一例でありこれに限定されない）においてボルト17、18の螺子部27、28を雌螺子29に螺合して舌片９をヒンジ板６に回動可能に取りつけ、ボルト17、18のねじ込み量を調節することにより、巻回部10と11の間の任意の位置に舌片９を位置決め保持することが可能になり、ドア２を上下方向に移動し、隙間Ｔ1 とＢ1 の調整をすることが可能になる。
【００２５】
例えばボルト17、18のねじ込み量を等しくすれば舌片９を巻回部10、11の中央にボルト17と18により位置決め保持することができ、また、ボルト17の螺合を緩めながらボルト18を締めつけることにより、舌片９はその緩めた分だけ上方に移動してボルト17と18により位置決め保持され、その逆にボルト18の螺合を緩めながらボルト17を締めつけることにより、舌片９は下方に移動してボルト17と18により位置決め保持されることになる。このようにして、ドア２はボルト17と18のねじ込み量の調節により上下移動する。
【００２６】
次に、図10におけるドア２の上部左右Ｌ1 とＲ1 および下部左右Ｌ2 とＲ2 の隙間の調整について説明する。舌片９の厚さに対して挿入部８の幅寸法が大きくとってあり、舌片９が挿入部８内でその厚さ方向に動き得るようにしてある。これにより、挿入部８内における舌片９の位置を任意に定めることによって、取り付け後のドア２を左右方向に移動させ、出入り口開口３とドア２の縁との間の隙間を調整することが可能になる。
【００２７】
この隙間の具体的な調整は次のようにして行う。図10において、上側の蝶番１側を調整して隙間Ｒ1 が狭くなるようにすると、下側の隙間Ｒ2 が広くなり（Ｌ1 が広がりＬ2 が狭められる）出入り口開口３に対してドア２が傾いた状態になる。したがって、この隙間の調整はＬ1 ＝Ｌ2 およびＲ1 ＝Ｒ2 になるように調整する。図９において、調整螺子22を緩めながらボルト20を締め付けると、舌片９は図面の右側に移動して図10の矢印（イ）方向にドア２を移動させることができ、逆にボルト20を弛めながら調整螺子22を締め付けることにより、図10の矢印（ロ）方向にドア２を移動させることができる。これにより、例えば上部の蝶番１を基準にして、下部の蝶番１′を調整することにより隙間Ｌ1 ＝Ｌ2 およびＲ1 ＝Ｒ2 になるようにすることができる。
【００２８】
次にドア２の厚み方向への調整について説明する。このドア２の厚み方向の調整に際して、上記ボルト20と調整螺子22を仮止めの状態にしておく。先ず、舌片９を挿入部８に挿入したままでは、図３（ロ）のように、爪部 321と係合爪 902とが当接していて、舌片９は挿入部８に対して標準位置になっている。したがって、出入り口開口３へのヒンジ板６の取り付けが正確であれば、ドア２の厚み方向のずれはないはずであり、舌片９を単に挿入部８に挿入するだけの簡単な組付作業で、ドア２を取りつけることができる。
【００２９】
そこで、出入り口開口３へのヒンジ板６の取り付けが不正確で、ドア２の厚み方向にずれが出ている場合には、次のようにしてドア２の厚み方向の調整を行う。すなわち、舌片９を挿入部８から少し引き出すことにより、爪部 321と係合爪 902の当接が解除され、回転爪32の回動が可能になり、図３の（ハ）の状態にすることができる。そして、六角孔 327に工具を装着して回動板32を矢印の方向に回動することにより、舌片９をＸ2 の範囲内で矢印の方向に移動させることが可能となる。このように、舌片９を矢印の方向に移動させることにより、図５に示すようにドア２を矢印（ハ）の方向に移動して、ドア２の厚み方向の位置調整を行うことが可能となる。そして、この六角孔 327、図９に示すボルト20および調整螺子22は、ヒンジ板７の同一面側から工具によって操作することができるので、ドア２の取り付けの調整を容易に行うことができる。
【００３０】
【発明の効果】
以上詳述した通り請求項１の記載に基づいて、発明の詳細な説明から把握される本発明によれば、二枚のヒンジ板の一方に舌片を回動可能に設け、この舌片を他方のヒンジ板の挿入部に差し込んでボルトによって、前記二枚のヒンジ板を結合し、出入り口開口とドアとの間の上下左右の隙間の調整を可能にした蝶番に対して、更に前記他方のヒンジ板の挿入部側面に、爪部を形成した回動可能な回動板を設け、舌片を挿入部に挿入した時にこの回動板の爪部に係合する係合爪を舌片の側面に設けたので、この回動板を回動して舌片を移動することにより、挿入部内での舌片の位置を任意に調整することができ、出入り口開口に対するドアの厚み方向の位置合わせをすることができる。
【００３１】
これにより、ヒンジ板をドアに取りつけた状態で、出入り口開口に対するドアの上下左右の方向およびドアの厚み方向の調整ができるようになり、柱や壁に掘られた穴に多少の誤差があっても、出入り口開口に対してドアを的確に取りつけることができる。
【００３２】
次に、請求項２の記載に基づいて、発明の詳細な説明から把握される本発明によれば、上記請求項１の記載に基づいて把握される発明における、他方のヒンジ板の挿入部に舌片を挿入して回動板を回動し、回動板の爪部を舌片に設けた係合爪に当接させて、舌片の挿入を規制し、舌片の挿入量を一定にすることにより、舌片を単に挿入部に差し込むだけで、ドアに複数個取りつけられた蝶番の舌片の差し込み量が一定になり、ドア取り付けの作業性を向上することができる。
【図面の簡単な説明】
【図１】本発明の一実施例の要部を一部縦断面して示した図である。
【図２】図１に示した実施例を適用した蝶番を一部縦断面して示した図である。
【図３】図１における舌片と回動板との関係を示した図である。
【図４】図１における回動板を備えたヒンジ板の平面図である。
【図５】図２に示した蝶番をドアに取りつけた状態を一部縦断面して示した図である。
【図６】蝶番をドアに取りつけた状態を一部縦断面して示した説明用図である。
【図７】従来の蝶番の組み立て分解斜視図である。
【図８】従来の蝶番を一部縦断面して示した図である。
【図９】蝶番の挿入部を縦断面して示した図である。
【図１０】出入り口開口とドアの取り合いを示す説明用図である。
【符号の説明】
１  蝶番
２  ドア
３  出入り口開口
６  ヒンジ板
７  ヒンジ板
701  ストッパ部
８  挿入部
９  舌片
901  係合爪
902  係合爪
903  長孔
10  巻回部
11  巻回部
12  Ｃリング
13  孔
14  巻回部
15  開口部寸法
16  切欠
17  ボルト
18  ボルト
20  ボルト
22  調整螺子
32  回転爪
321  爪部
322  爪部
323  段部
324  ストッパ面
325  摺動部
33  穴
【図１】
0003646230.tif 000002
【図２】
0003646230.tif 000003
【図３】
0003646230.tif 000004
【図４】
0003646230.tif 000005
【図５】
0003646230.tif 000006
【図６】
0003646230.tif 000007
【図７】
0003646230.tif 000008
【図８】
0003646230.tif 000009
【図９】
0003646230.tif 000010
【図１０】
0003646230.tif 000011